(57)【要約】【課題】卓上型隠し式集線装置の提供。【解決手段】本考案は一種の卓上型隠し式集線装置に関わるものである。主に、上蓋体と下ケース体と結合により形成する集線装置空間に多種類の電気構成要素を収容する。該集線装置は弾性枢軸によりベース両側に備える貫通孔に留めて、該弾性枢軸を心軸とし、ベースにおいて回転する。さらに、２本のほぞをベースのほぞ穴に留めておく、集線装置を回して固定および開放し使用する、または閉合して隠し状態となる。ベース両側の固定弾性片を机表面に設ける円孔に圧入して、机表面と一体化を構成する。使用のとき、集線装置を回して机表面に突き出しておく、使用しないときは、回して机表面内部に没入する。【選択図】図３
0003125928.tif 000002
【実用新案登録請求の範囲】
【請求項１】
上蓋体と下ケース体を結合により形成する空間において、集線装置の構成要素を収納し、上蓋体と下ケース体と結合により形成する集線装置を弾性枢軸により、ベース両側に備える貫通孔に留めて、集線装置は該弾性枢軸を心軸としてベースにおいて回し、集線装置に備える二つのほぞ装置をベースのほぞ穴に留めて、集線装置を回して、固定し開放の使用状態、または閉合して隠し状態となり、
上蓋体はおおむねに前方が低く後部が高い仰角式半球状を形成し、中間の平面円孔を集線装置パネルに留めて、両側の半円孔と固定溝は下ケース体両側の半円孔およびノッチと組合せて、弾性枢軸を固定し、後部中央場所に長方形ほぞ穴を開けて、後述のほぞ装置と締結し、
集線装置パネルは前記の上蓋体に備える中間の平面円孔に留めて、電話線ジャック孔、ネットワークケーブルジャック孔、電気コンセント孔をあらかじめに設け、
下ケース体は前記の上蓋体に対応し、前方が低く後部が高い仰角式半球状を形成し、底部は押しボタン孔を除く、密閉式平面を設け、下ケース体両側の上蓋体両側に対応する場所は、半円孔およびノッチを設けて後述の弾性枢軸を収容し、
ベースは中空の円形台を設け両側に円孔を設けて、弾性枢軸を固定し、円孔の付近場所に長方形固定孔を設けて、固定弾性片を固定し、前方に長方形ほぞ穴を設けて、ほぞ装置の締結に備え、
二つの弾性枢軸は上蓋体両側の固定溝と下ケース体両側のノッチに収容し、枢軸の円形ボタンは前記の上蓋体と下ケース体両側の半円孔との結合により、円形固定孔に固定し、枢軸本体のフランジは円形固定孔内面に留め、枢軸の軸棒の一端にばねを挿入した後、上蓋体の固定溝と下ケース体のノッチと結合により形成する貫通孔に固定することにより、ばねを上蓋体固定溝と下ケース体ノッチと結合により形成する側壁とフランジの間に固定し、圧迫により枢軸に外部張力を形成し、
２本のほぞ装置はほぞ台、ほぞ本体およびばねより構成する、該ほぞ台にほぞ本体を収容する長方形溝孔を設け、該ほぞ本体は楔形ほぞ、突き出し楕円形押しボタンと軸棒を設け、軸棒はばねを挿入した後、ほぞ台の長方形溝孔に掛けて固定することにより、ばねは長方形溝孔前後部の短辺を圧迫し、ほぞ本体に外部張力を形成し、
二つの固定弾性片はおおむね逆Ｕ字型の本体を外部に傾斜して、開放状の弾性片およびベースの円孔付近場所に備える長方形固定孔において設けた引き輪より構成する、該前傾開放式弾性片により、集線装置を机表面に設ける円孔に圧入して、机表面に結合し一体化となることを特徴とする卓上型隠し式集線装置。
【考案の詳細な説明】
【技術分野】
【０００１】
本考案は一種の集線装置、特に、一種の使用のとき机表面を突き出し、使用しないときは、回して机表面内部に収納できる隠し式集線装置に関わるものである。
【背景技術】
【０００２】
本考案は一種の集線装置、特に、一種の使用のとき机表面を突き出し、使用しないときは、回して机表面内部に収納できる隠し式集線装置に関わるものである。
【０００３】
パソコン（ＰＣ)とインターネット（ｉｎｔｅｒｎｅｔ）の日進月歩につれて、その周辺装置に必要な電源コード電話線ならびにネットワークケーブルは系統的に計画をしないと、線同士は互いに絡み合って机の上でごちゃごちゃとなり、美観性を損なうほか、オフィスのムードと業務効率に影響を与えてしまう。このため、必要性の高い電気コンセント、電話線ジャック及びネットワークケーブルジャックを計画的に分散する必要がある。しかしながら、一種の回線整合機能を有するほか、利用者の人間工学ならびに作業環境の美観性を配慮した集線装置は、業者が常に追求し、開発の課題である。
【考案の開示】
【考案が解決しようとする課題】
【０００４】
本考案の主要な目的は一種の卓上型隠し式集線装置を提供する、コンパクト構造と空間を巧みに計画することにより、上蓋体と下ケース体と結合により形成する集線装置空間に多種類の電気構成要素を収容する。該集線装置は弾性枢軸によりベース両側に備える貫通孔に留めて、該弾性枢軸を心軸とし、ベースにおいて回転する。さらに、２本のほぞをベースのほぞ穴に留めておく、集線装置は回転により固定および開放し使用する、または閉合して隠し状態となる。ベース両側の固定弾性片を机表面に設ける円孔に圧入し、机表面と一体化を構成する。使用のとき、集線装置を回して机表面に突き出しておく、使用しないときは、回して机表面内部に没入する。
【課題を解決するための手段】
【０００５】
請求項１の考案は、上蓋体と下ケース体を結合により形成する空間において、集線装置の構成要素を収納し、上蓋体と下ケース体と結合により形成する集線装置を弾性枢軸により、ベース両側に備える貫通孔に留めて、集線装置は該弾性枢軸を心軸としてベースにおいて回し、集線装置に備える二つのほぞ装置をベースのほぞ穴に留めて、集線装置を回して、固定し開放の使用状態、または閉合して隠し状態となり、
上蓋体はおおむねに前方が低く後部が高い仰角式半球状を形成し、中間の平面円孔を集線装置パネルに留め、両側の半円孔と固定溝は下ケース体両側の半円孔およびノッチと組合せて、弾性枢軸を固定し、後部中央場所に長方形ほぞ穴を開けて、後述のほぞ装置と締結し、
集線装置パネルは前記の上蓋体に備える中間の平面円孔に留めて、電話線ジャック孔、ネットワークケーブルジャック孔、電気コンセント孔をあらかじめに設け、
下ケース体は前記の上蓋体に対応し、前方が低く後部が高い仰角式半球状を形成し、底部は押しボタン孔を除く、密閉式平面を設け、下ケース体両側の上蓋体両側に対応する場所は、半円孔およびノッチを設けて後述の弾性枢軸を収容し、
ベースは中空の円形台を設け両側に円孔を設けて、弾性枢軸を固定し、円孔の付近場所に長方形固定孔を設けて、固定弾性片を固定し、前方に長方形ほぞ穴を設けて、ほぞ装置の締結に備え、
二つの弾性枢軸は上蓋体両側の固定溝と下ケース体両側のノッチに収容し、枢軸の円形ボタンは前記の上蓋体と下ケース体両側の半円孔との結合により、円形固定孔に固定する、枢軸本体のフランジは円形固定孔内面に留め、枢軸の軸棒の一端にばねを挿入した後、上蓋体の固定溝と下ケース体のノッチと結合により形成する貫通孔に固定することにより、ばねを上蓋体固定溝と下ケース体ノッチと結合により形成する側壁とフランジの間に固定し、圧迫により枢軸に外部張力を形成し、
２本のほぞ装置はほぞ台、ほぞ本体およびばねより構成し、該ほぞ台にほぞ本体を収容する長方形溝孔を設け、該ほぞ本体は楔形ほぞ、突き出し楕円形押しボタンと軸棒を設け、軸棒はばねを挿入した後、ほぞ台の長方形溝孔に掛けて固定することにより、ばねは長方形溝孔前後部の短辺を圧迫し、ほぞ本体に外部張力を形成し、
二つの固定弾性片はおおむね逆Ｕ字型の本体を外部に傾斜して、開放状の弾性片およびベースの円孔付近場所に備える長方形固定孔において設けた引き輪より構成し、該前傾開放式弾性片により、集線装置を机表面に設ける円孔に圧入して、机表面に結合し一体化となることを特徴とする卓上型隠し式集線装置としている。
【考案の効果】
【０００６】
本考案による集線装置は、ベース両側に備える弾性片を机表面に設ける円孔に圧入した後、机表面と結合し一体化を形成して、上蓋体と下ケース体との結合により形成する集線装置空間に多種の電気構成要素を収容する。集線装置は弾性枢軸によりベース両側に備える貫通孔に留めて、弾性枢軸を心軸として、ベースにおいて回転する。さらに、２本のほぞ装置をベースほぞ穴に取り付けることにより、集線装置を回して固定し開放する状態使用に備える、または閉合して隠し状態となる。ベース両側の固定弾性片を机表面に設ける円孔に圧入した後、机表面と結合し一体化となり、使用のとき集線装置を机表面に突き出しておく、使用しないときは回して机表面内部に隠すことができる。
【考案を実施するための最良の形態】
【０００７】
図１から図７を参照する。図１は本考案を机表面内部に隠した未使用状態の平面立体図、図２は本考案を机表面内部に隠した未使用状態の底面立体図、図３から図６は本考案様々な角度の立体分解図、図７は本考案を机表面内部に隠した未使用状態の断面図である。
【０００８】
本考案は主に上蓋体１と下ケース体２と結合により形成する集線装置空間に多種類の電気構成要素３を収容する。該集線装置は弾性枢軸４によりベース５両側に備える貫通孔５１に留めて、該弾性枢軸４を心軸とし、ベース５において回転する。さらに、２本のほぞ６をベース５のほぞ穴に留めておく、集線装置は回転により固定および開放し使用する、または閉合して隠し状態となる。ベース５両側の固定弾性片７を机表面に設ける円孔に圧入し、机表面と一体化を構成する。使用のとき、集線装置を回して机表面に突き出しておく、使用しないときは、回して机表面内部に没入する。
【０００９】
そのうち、上蓋体１は図３から図６に示す通り、おおむねに前方が低く後部が高い仰角式半球状を形成し、中間の平面円孔１１は集線装置パネル８を留めて、両側の半円孔１２と固定溝１３は下ケース体２両側に備える半円孔２１とノッチと合せて弾性枢軸４を固定し、後部中央場所に長い片状のほぞ穴１４を残して、後述のほぞ装置６に締結する。
【００１０】
図２に示す通り、集線装置パネル８は前記の蓋体１中間の平面円孔１１に留めて、電話線ジャック孔８１、ネットワークケーブルジャック孔８２、電気コンセント孔８３および押しボタン孔８４をあらかじめに設ける。
【００１１】
図３から図６に示すとおり、下ケース体２はほぼ前記の上蓋体１と釣り合った前方が低く後部が高い仰角式半球状を形成し、その底部は図１に示す押しボタン孔２２のほか、密閉式平面を設ける。下ケース体２両側が上蓋体１と対称して両側の半円孔１２場所に、同じく半円孔２１を設けるほか、ノッチ２３を設けて、後記の弾性枢軸４を収容する。下ケース体２は若干のジャック２４を一体化に設け、集線装置の構成要素３の固定に備える。
【００１２】
図３から図６に示す通り、ベース５は中空の円形台を設け、その両側に備える貫通孔５１は弾性枢軸４を留める。円孔５１の付近場所に長方形固定孔５２を設けて弾性片７の固定に備える。前後部とも長方形ほぞ穴５３を設けて、ほぞ装置６の締結に備える。
【００１３】
図３から図６に示す通り、電気構成要素３は電話線ジャック３１、ネットワークケーブルジャック３２、電気コンセント３３、回線固定台３４より構成し、集線装置パネル８であらかじめに残した電話線ジャック孔８１、ネットワークケーブルジャック孔８２、電源コンセント孔８３および下ケース体２に備える各ジャック２４にそれぞれ固定した上、上蓋体１と下ケース体２締結後の空間に固定する。これらは公知技術のため、さらなるの説明を省略する。
【００１４】
図３から図６に示す通り、二つの弾性枢軸４は上蓋体１両側の固定溝１３と下ケース体２両側のノッチ２３に収容する。そのうち、枢軸の円形ボタン４１は前記の上蓋体１と下ケース体２両側の半円孔１２、２１との結合により、円形固定孔に固定する。枢軸本体のフランジ(flange)４２は円形固定孔内面に留める。枢軸の軸棒４３の一端にばね４４を挿入した後、上蓋体１の固定溝１３と下ケース体のノッチ２３と結合により形成する貫通孔５１に固定することにより、ばね４４を上蓋体１固定溝１３と下ケース体２ノッチ２３と結合により形成する側壁とフランジ４２の間に固定し、圧迫により、枢軸４に外部張力を形成する。
【００１５】
図３から図６に示す通り、二つのほぞ装置６はほぞ台６１、ほぞ本体６２およびばね６３より構成する。そのうち、ほぞ台６１は両側の滑りレール６１１により、集線装置パネル８下部と下ケース体２のジャックに固定する。該ほぞ台６１に長方形ジャック孔６１２を設け、ほぞ本体６２を収容する。該ほぞ本体６２は楔形ほぞ６２１、突き出し楕円形押しボタン６２２および軸棒６２３を設け、軸棒６２３にばね６３を挿入し、ほぞ台６１の長方形溝孔６１２に掛けることにより、ばね６３は長方形溝孔６１２前後端の短辺は圧迫力に従い、ほぞ本体６２に対し外部張力を生成する。
【００１６】
図３から図６に示す通り、二つの固定弾性片７はおおむね逆Ｕ字型を呈し、本体を外部の前側に傾斜し開放式弾性片７１を設け、ベース５付近の貫通孔５１の場所で設けた長方形固定孔５２によって、締結された密閉式引き輪７２より構成し、集線装置は該前方傾斜式開放式弾性片７１により、机表面内部の円孔に圧入した後、机表面と結合し一体化する。
【００１７】
図１、図２および図６に示すとおり、前記した各構成要素を組合せた後、上蓋体１と下ケース体２より結合した空間は集線装置の構成要素３を収容する。上蓋体１と下ケース体２を結合により形成する集線装置は、弾性枢軸４とベース５両側の貫通孔５１を留めて形成する心軸はベース５にて回転する。さらに、ほぞ本体６２に備える楔形ほぞ６２１はばね６３の外部張力によりベース５のほぞ穴５３に留めて、図１及び図２に示す机表面内部に隠した未使用状態となる。
【００１８】
ただし、下ケース体２底部の押しボタン孔２２に突き出したボタン６２２を動かして、ほぞ本体６２をばね６３に圧迫し、楔形ほぞ６２１をベース５のほぞ穴５３を引き離すことにより、集線装置を回して、集線装置パネル８下部に固定されたほぞ装置６がベース５のほぞ穴５２に留めて、集線装置パネル８を人間工学による適切な傾斜角度にて利用者の前に突き出し、利用者の利用に備える。集線装置は使用するとき、机表面に突き出し、使用しないときは回して机表面内部に隠すことができる。
【図面の簡単な説明】
【００１９】
【図１】本考案を机表面内部に隠した未使用状態の平面立体図である。
【図２】本考案を机表面内部に隠した未使用状態の底面立体図である。
【図３】本考案の立体分解図である。
【図４】本考案のもう一つ角度の立体分解図である。
【図５】本考案のさらに一つ角度の立体分解図である。
【図６】本考案のあらたに一つ角度の立体分解図である。
【図７】本考案を机表面内部に隠した未使用状態の断面図である。
【符号の説明】
【００２０】
１  上蓋体
１１  平面円孔
１２  半円孔
１３  固定溝
１４  長方形ほぞ穴
２  下ケース体
２１  半円孔
２２  押しボタン孔
２３  ノッチ
２４  ジャック
３  電気構成要素
３１  電話線ジャック
３２  ネットワークケーブルジャック
３３  電気コンセント
３４  回線固定台
４  枢軸
４１  丸いボタン
４２  フランジ
４３  軸棒
４４  ばね
５  ベース
５１  貫通孔
５２  長方形固定孔
５３  長方形ほぞ穴
６  ほぞ装置
６１  ほぞ台
６１１  滑りレール
６１２  長方形溝孔
６２  ほぞ本体
６２１  楔形ほぞ
６２２  突き出し式楕円押しボタン
６２３  軸棒
６３  ばね
７  固定弾性片
７１  開放式弾性片
７２  密閉式引き輪
８  集線装置パネル
８１  電話線ジャック
８２  ネットワークケーブルジャック
８３  電源コンセント孔
８４  押しボタン孔
【図１】
0003125928.tif 000003
【図２】
0003125928.tif 000004
【図３】
0003125928.tif 000005
【図４】
0003125928.tif 000006
【図５】
0003125928.tif 000007
【図６】
0003125928.tif 000008
【図７】
0003125928.tif 000009